(57)【要約】【課題】簡易な構成により、電源電圧の異なる負荷に対して、任意のタイミングで個別的に駆動することができる電子装置及び電源供給回路を提供すること。【解決手段】第１の駆動電圧で駆動される第１の負荷３３と、第２の駆動電圧で駆動される第２の負荷３９と、電源部から供給される電圧を所定の電圧まで昇圧する電源回路３１と、第１の負荷３３の帰還電圧が入力される入力端子を複数有し、入力端子から入力される帰還電圧に応じて電源部の電圧低下を検知する電圧低下検知部３４と、複数の入力端子の中の一の入力端子の電圧を強制的に降下させる強制降下部３５と、電圧低下検知部３４により入力端子から入力された帰還電圧が所定の電圧値以下であると検知されたとき、電源部３０から供給される電圧を所定電圧まで昇圧するように電源回路３１を制御する第１の制御部３６と、を備える。【選択図】図２
2008113504.tif 000002
【特許請求の範囲】
【請求項１】
電源部と、
第１の駆動電圧によって駆動される第１の負荷と、
前記第１の駆動電圧よりも大きい第２の駆動電圧によって駆動される第２の負荷と、
前記電源部から供給される電圧を所定の電圧まで昇圧する電源回路と、
前記電源回路から出力された電圧を前記第１の負荷及び前記第２の負荷に供給する供給回路と、
前記第１の負荷の帰還電圧が入力される入力端子を複数有し、前記入力端子から入力される前記帰還電圧に応じて前記電源部の電圧低下を検知する電圧低下検知部と、
前記複数の入力端子の中の一の入力端子の電圧を強制的に降下させる強制降下部と、
前記電圧低下検知部により前記入力端子から入力された前記帰還電圧が所定の電圧値以下であると検知されたとき、前記電源部から供給される電圧を所定電圧まで昇圧するように前記電源回路を制御する第１の制御部とを備え、
前記第１の制御部は、前記強制降下部により前記一の入力端子の電圧が強制的に降下させられたとき、前記電源部から供給される電圧を前記第２の駆動電圧まで昇圧するように前記電源回路を制御することを特徴とする電子装置。
【請求項２】
前記第２の負荷に対して、動作の開始を指示するオン制御又は動作の停止を指示するオフ制御を行う第２の制御部を備え、
前記強制降下部は、前記第２の制御部により、前記第２の負荷に対して動作の開始を指示するオン制御が行われたとき、前記一の入力端子の電圧を強制的に降下させることを特徴とする請求項１記載の電子装置。
【請求項３】
前記強制降下部は、前記一の入力端子をグランドに接地可能な切替機構により構成されており、前記第２の制御部により、前記第２の負荷に対して動作の開始を指示するオン制御が行われたとき、前記切替機構を作動させて前記一の入力端子を強制的にグランドに接地させることを特徴とする請求項２記載の電子装置。
【請求項４】
前記第２の負荷に対して、動作の開始を指示するオン制御又は動作の停止を指示するオフ制御を行う第２の制御回路と、
電源部の電圧量を監視する監視部と、を備え、
前記監視部は、前記第２の制御回路により、前記第２の負荷に対して動作の開始を指示するオン制御が行われたとき、前記電源部の電圧が所定値以下に低下したものと擬制して、前記強制降下部に電圧低下信号を供給し、
前記強制降下部は、前記監視部から前記電圧低下信号が供給されたとき、前記一の入力端子の電圧を強制的に降下させることを特徴とする請求項１記載の電子装置。
【請求項５】
前記強制降下部は、前記一の入力端子をグランドに接地可能な切替機構により構成されており、前記監視部から前記電圧低下信号が供給されたとき、前記切替機構を作動させて前記一の入力端子を強制的にグランドに接地させることを特徴とする請求項４記載の電子装置。
【請求項６】
電源部から供給される電圧を所定の電圧まで昇圧する電源回路と、
前記電源回路から出力された電圧を、第１の駆動電圧によって駆動される第１の負荷に供給し、及び前記第１の駆動電圧よりも大きい第２の駆動電圧によって駆動される第２の負荷に供給する電源回路と、
前記第１の負荷の帰還電圧が入力される入力端子を複数有し、前記入力端子から入力される前記帰還電圧に応じて前記電源部の電圧低下を検知する電圧低下検知部と、
前記複数の入力端子の中の一の入力端子の電圧を強制的に降下させる強制降下部と、
前記電圧低下検知部により前記入力端子から入力された前記帰還電圧が所定の電圧値以下であると検知されたとき、前記電源部から供給される電圧を所定電圧まで昇圧するように前記電源回路を制御する第１の制御部とを備え、
前記第１の制御部は、前記強制降下部により前記一の入力端子の電圧を強制的に降下させられたとき、前記電源部から供給される電圧を前記第２の駆動電圧まで昇圧するように前記電源回路を制御することを特徴とする電源供給回路。
【発明の詳細な説明】
【技術分野】
【０００１】
本発明は、電源電圧を昇圧する昇圧回路を有する電子装置及び電源供給回路に関する。
【背景技術】
【０００２】
携帯電話装置やＰＤＡ（Ｐｅｒｓｏｎａｌ  Ｄａｔａ  Ａｓｓｉｓｔａｎｔ）等の携帯端末には、二次電池（充電電池）が内蔵されており、当該二次電池により当該携帯端末の各構成要素に対して電源供給が行われている。また、二次電池は、３Ｖ系のＬｉ−ｉｏｎ（リチウムイオン）電池が主流である。
【０００３】
また、携帯端末の構成要素には、例えば、ＬＣＤ（Ｌｉｑｕｉｄ  Ｃｒｙｓｔａｌ  Ｄｉｓｐｌａｙ）等のディスプレイのバックライトや、カメラライト等のように、白色ＬＥＤ（Ｌｉｇｈｔ  Ｅｍｉｔｔｉｎｇ  Ｄｉｏｄｅ）が使用され、３Ｖ以上の電圧供給が必要なものが含まれている。
【０００４】
したがって、携帯端末には、これらの構成要素へ電圧を供給するために、電池電圧を昇圧するための昇圧回路が備えられている。また、近年では、昇圧回路は、ＬＥＤドライバＩＣ等の複合デバイスにより制御される構成となっている（例えば、特許文献１参照。）。
【０００５】
また、バックライトは、二次電池が満充電の状態であれば、昇圧しなくても駆動可能であるが、カメラライトは、二次電池が満充電の状態であっても、駆動電圧が高いため、昇圧する必要がある。
【特許文献１】特開２００５−３１８７８７号公報
【発明の開示】
【発明が解決しようとする課題】
【０００６】
ところで、ＬＥＤドライバＩＣにバックライトが接続され、さらに、カメラライトがカスケード接続されている場合、ＬＥＤドライバＩＣは、バックライトの帰還電圧とグランド（ＧＮＤ）との電位差を検出し、検出した電位差が一定以上であると判断したときに、電池電圧の昇圧を行う。そして、ＬＥＤドライバＩＣは、昇圧後の電圧をカメラライトに供給する。
【０００７】
したがって、カメラライトを駆動したい場合であっても、バックライトの帰還電圧とグランド（ＧＮＤ）との電位差が一定以上ない場合には昇圧されないため、カメラライトに常時昇圧された電圧を供給することができないという問題がある。
【０００８】
そこで、本発明は、上述のような課題に鑑みてなされたものであり、その目的の一つは、簡易な構成により、電源電圧の異なる負荷に対して、任意のタイミングで電圧を昇圧させて駆動することができる電子装置及び電源供給回路を提供することである。
【課題を解決するための手段】
【０００９】
本発明に係る電子装置は、上記課題を解決するために、電源部と、第１の駆動電圧によって駆動される第１の負荷と、前記第１の駆動電圧よりも大きい第２の駆動電圧によって駆動される第２の負荷と、前記電源部から供給される電圧を所定の電圧まで昇圧する電源回路と、前記電源回路から出力された電圧を前記第１の負荷及び前記第２の負荷に供給する供給回路と、前記第１の負荷の帰還電圧が入力される入力端子を複数有し、前記入力端子から入力される前記帰還電圧に応じて前記電源部の電圧低下を検知する電圧低下検知部と、前記複数の入力端子の中の一の入力端子の電圧を強制的に降下させる強制降下部と、前記電圧低下検知部により前記入力端子から入力された前記帰還電圧が所定の電圧値以下であると検知されたとき、前記電源部から供給される電圧を所定電圧まで昇圧するように前記電源回路を制御する第１の制御部とを備え、前記第１の制御部は、前記強制降下部により前記一の入力端子の電圧が強制的に降下させられたとき、前記電源部から供給される電圧を前記第２の駆動電圧まで昇圧するように前記電源回路を制御することを特徴とする。
【００１０】
また、上記電子装置は、前記第２の負荷に対して、動作の開始を指示するオン制御又は動作の停止を指示するオフ制御を行う第２の制御部を備え、前記強制降下部は、前記第２の制御部により、前記第２の負荷に対して動作の開始を指示するオン制御が行われたとき、前記一の入力端子の電圧を強制的に降下させることが好ましい。
【００１１】
また、上記電子装置では、前記強制降下部は、前記一の入力端子をグランドに接地可能な切替機構により構成されており、前記第２の制御部により、前記第２の負荷に対して動作の開始を指示するオン制御が行われたとき、前記切替機構を作動させて前記一の入力端子を強制的にグランドに接地させることが好ましい。
【００１２】
また、上記電子装置は、前記第２の負荷に対して、動作の開始を指示するオン制御又は動作の停止を指示するオフ制御を行う第２の制御回路と、電源部の電圧量を監視する監視部と、を備え、前記監視部は、前記第２の制御回路により、前記第２の負荷に対して動作の開始を指示するオン制御が行われたとき、前記電源部の電圧が所定値以下に低下したものと擬制して、前記強制降下部に電圧低下信号を供給し、前記強制降下部は、前記監視部から前記電圧低下信号が供給されたとき、前記一の入力端子の電圧を強制的に降下させることが好ましい。
【００１３】
また、上記電子装置では、前記強制降下部は、前記一の入力端子をグランドに接地可能な切替機構により構成されており、前記監視部から前記電圧低下信号が供給されたとき、前記切替機構を作動させて前記一の入力端子を強制的にグランドに接地させることが好ましい。
【００１４】
また、本発明に係る電源供給回路は、上記課題を解決するために、電源部から供給される電圧を所定の電圧まで昇圧する電源回路と、前記電源回路から出力された電圧を、第１の駆動電圧によって駆動される第１の負荷に供給し、及び前記第１の駆動電圧よりも大きい第２の駆動電圧によって駆動される第２の負荷に供給する電源回路と、前記第１の負荷の帰還電圧が入力される入力端子を複数有し、前記入力端子から入力される前記帰還電圧に応じて前記電源部の電圧低下を検知する電圧低下検知部と、前記複数の入力端子の中の一の入力端子の電圧を強制的に降下させる強制降下部と、前記電圧低下検知部により前記入力端子から入力された前記帰還電圧が所定の電圧値以下であると検知されたとき、前記電源部から供給される電圧を所定電圧まで昇圧するように前記電源回路を制御する第１の制御部とを備え、前記第１の制御部は、前記強制降下部により前記一の入力端子の電圧を強制的に降下させられたとき、前記電源部から供給される電圧を前記第２の駆動電圧まで昇圧するように前記電源回路を制御することを特徴とする。
【発明の効果】
【００１５】
本発明によれば、簡易な構成により、電源電圧の異なる負荷に対して、任意のタイミングで電圧を昇圧させて駆動することができる。
【発明を実施するための最良の形態】
【００１６】
以下、本発明の実施形態について詳細に説明する。
【００１７】
図１は、本発明に係る電子装置の一例である携帯電話装置１の外観斜視図を示す。なお、図１は、いわゆる折り畳み型の携帯電話装置の形態を示しているが、本発明に係る携帯電話装置の形態としては特にこれに限られない。
【００１８】
携帯電話装置１は、操作部側筐体部２と、表示部側筐体部３と、を備えて構成される。操作部側筐体部２は、第１の表面部１０に、操作ボタン群１１と、携帯電話装置１の使用者が通話時に発した音声が入力される音声入力部１２と、を備えて構成される。操作ボタン群１１は、各種設定や電話帳機能やメール機能等の各種機能を作動させるための機能設定操作ボタン１３と、電話番号の数字やメール等の文字等を入力するための入力操作ボタン１４と、各種操作における決定やスクロール等を行う決定操作ボタン１５と、から構成されている。
【００１９】
また、表示部側筐体部３は、第２の表面部２０に、各種情報を表示するためのディスプレイ２１と、通話の相手側の音声を出力する音声出力部２２と、を備えて構成されている。
【００２０】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転することにより、操作部側筐体部２と表示部側筐体部３とが互いに開いた状態（開放状態）にしたり、操作部側筐体部２と表示部側筐体部３とを折り畳んだ状態（折畳み状態）にしたりできる。
【００２１】
＜第１の実施形態＞
また、図２は、携帯電話装置１の機能を示すブロック図である。携帯電話装置１は、図２に示すように、電源部３０と、電源部３０から供給される電圧を昇圧する電源回路３１と、電源回路３１により昇圧された電圧を各負荷に供給する供給回路３２と、供給回路３２から電圧が供給され、所定の動作を行う第１の負荷３３と、第１の負荷３３の帰還電圧に基づいて、電源部３０の電源低下を検知する電圧低下検知部３４と、電圧低下検知部３４の一の入力端子を電気的に強制的に降下する強制降下部３５と、電圧低下検知部３４による検知結果に基づいて電源回路３１を制御する第１の制御部３６と、第１の負荷３３のオン状態又はオフ状態を制御する第２の制御部３７と、供給回路３２から電圧が供給され、当該電圧を安定化するカスケード接続電源部３８と、カスケード接続電源部３８から安定化された電圧が供給され、所定の動作を行う第２の負荷３９と、第２の負荷３９のオン状態又はオフ状態を制御する第３の制御部４０と、携帯電話装置１の全体を制御するホスト制御部４１と、を備える。
【００２２】
また、電源回路３１と、供給回路３２とは、一体的に昇圧回路４２を構成している。また、昇圧回路４２と、電圧低下検知部３４と、強制降下部３５と、第１の制御部３６と、第２の制御部３７とは、一体的にドライバＩＣ４３を構成している。
【００２３】
電源部３０は、所定量の電荷が蓄えられており、例えば、定格電圧が３．３Ｖ〜４．２ＶのＬｉ−ｉｏｎ（リチウムイオン）二次電池である。また、電源部３０は、ホスト制御部４１から供給される制御信号に応じて、電源回路３１に電源電圧の供給を開始又は停止する。
【００２４】
電源回路３１は、電源部３０から供給される電圧を昇圧し、昇圧後の電圧を供給回路３２に出力する。また、電源回路３１は、例えば、チャージポンプ回路により構成されており、電圧を１．０倍、又は、１．５倍等の所定の昇圧率で昇圧を行う。また、電源回路３１は、後述する第１の制御部３６の制御に応じて、昇圧率が決定される。
【００２５】
供給回路３２は、電源回路３１から出力された電圧を第１の負荷３３と、カスケード接続電源部３８を介して第２の負荷３９に供給する。
【００２６】
第１の負荷３３は、第１の駆動電圧により駆動される負荷であり、供給回路３２から供給される電圧が第１の駆動電圧になっていることを条件に駆動される。また、第１の負荷３３は、例えば、ディスプレイ２１を背面から照射する複数個の白色ＬＥＤにより構成されているバックライト装置である。また、第１の負荷３３は、本実施形態においては、電源部３０が満充電状態の場合には、電源回路３１により昇圧の必要がない負荷である。また、第１の負荷３３は、帰還電圧を電圧低下検知部３４に出力する。
【００２７】
電圧低下検知部３４は、第１の負荷３３の帰還電圧が入力される入力端子を複数有し、当該入力端子から入力される帰還電圧に応じて電源部３０の電圧低下を検知する。また、電圧低下検知部３４は、検知結果を第１の制御部３６に供給する。
【００２８】
強制降下部３５は、後述する第２の制御部３７による制御に応じて、電圧低下検知部３４の複数の入力端子の中の一の入力端子を電気的に強制的に降下させる。
【００２９】
第１の制御部３６は、電圧低下検知部３４により入力端子から入力された帰還電圧が所定の電圧値以下であると検知されたとき、電源部３０から供給される電圧を所定電圧まで昇圧するように電源回路３１を制御する。
【００３０】
第２の制御部３７は、ホスト制御部４１の制御に応じて、第１の負荷３３に対して、動作の開始を指示するオン制御又は動作の停止を指示するオフ制御を行う。
【００３１】
カスケード接続電源部３８は、例えば、スイッチングレギュレータ等の安定化回路により構成されており、供給回路３２から供給されてきた電圧を第２の駆動電圧に安定化する処理を行い、安定化後の第２の駆動電圧を第２の負荷３９に供給する。また、カスケード接続電源部３８は、一定幅内の電圧が供給回路３２から供給されることを条件に、供給された電圧を安定化し、第２の負荷３９に供給する。このようにして、カスケード接続電源部３８は、一定値以上の電圧が印加されることによって第２の負荷３９が破壊等されないように防いでいる。
【００３２】
第２の負荷３９は、第２の駆動電圧により駆動される負荷である。また、第２の負荷３９は、例えば、不図示の撮像部により被写体を撮像する際に、当該被写体を照射する白色ＬＥＤにより構成されているカメラライトである。また、第２の負荷３９は、本実施形態においては、電源部３０が満充電状態の場合であっても、常に電源回路３１により昇圧の必要がある負荷である。
【００３３】
第３の制御部４０は、ホスト制御部４１の制御に応じて、第２の負荷３９に対して、動作の開始を指示するオン制御又は動作の停止を指示するオフ制御を行う。
【００３４】
ここで、ドライバＩＣ４３の具体的な構成と動作について説明する。
【００３５】
電圧低下検知部３４は、例えば、図３に示すように、電源部３０の電圧量の低下を検知する検知部３４Ａと、第１の負荷３３に接続される４つの入力端子ａ〜ｄと、を有して構成されている。また、入力端子ａ〜ｃは、スイッチ部３４Ｂを介して第１の負荷３３に接続されている。また、入力端子ｄは、強制降下部３５として、スイッチ部３５Ａを介してグランドに接続されている。
【００３６】
また、検知部３４Ａは、入力端子ａ〜ｄに供給される電圧に基づいて、電源部３０の電源低下（電圧量の低下）を検知する。
【００３７】
スイッチ部３４Ｂ及びスイッチ部３５Ａは、第２の制御部３７の制御信号に基づいて、オン制御又はオフ制御が行われる。
【００３８】
また、詳細は後述するが、スイッチ部３５Ａは、第２の負荷３９を駆動する際に、第２の制御部３７によりオン制御される。入力端子ｄは、スイッチ部３５Ａがオン制御されると、電気的に強制的に接地される。
【００３９】
検知部３４Ａは、第２の制御部３７によりスイッチ部３４Ｂがオン制御された場合、入力端子ａ〜ｃを介して、第１の負荷３３から帰還電圧が供給される。検知部３４Ａは、供給された第１の負荷３３の帰還電圧に基づいて、電源部３０の充電状態（電圧の残量）を検知し、検知結果を第１の制御部３６に供給する。
【００４０】
第１の制御部３６は、電圧低下検知部３４から供給された検知結果に基づき、電源回路３１に制御信号を供給する。第１の制御部３６は、例えば、電圧低下検知部３４から供給された検知結果に基づいて、電源部３０の電圧量が所定値以下に低下したものと判断した場合には、１．５倍に昇圧するように電源回路３１を制御する。
【００４１】
電源回路３１は、第１の制御部３６の制御に応じて、電源部３０から供給される電圧を１．５倍に昇圧し、供給回路３２に出力する。
【００４２】
また、検知部３４Ａは、第２の制御部３７により強制降下部３５のスイッチ部３５Ａがオン制御された場合、入力端子ｄが電気的に強制的に接地されて入力端子ｄの電圧が強制的に降下されることにより、第１の負荷３３の帰還電圧が強制的に降下して、電源部３０の電圧量が所定値以下に低下したものと判断し、１．５倍に昇圧するように電源回路３１を制御する。
【００４３】
電源回路３１は、第１の制御部３６の制御に応じて、電源部３０から供給される電圧を１．５倍に昇圧し、供給回路３２に出力する。なお、第１の制御部３６は、電圧低下検知部３４での検知結果に基づいて、電源部３０の電圧量が所定値以下に低下していないと判定した場合には、１．０倍の昇圧率で昇圧するように電源回路３１を制御する。
【００４４】
このようにして、ドライバＩＣ４３は、電圧低下検知部３４による検知結果に応じて、自動的に電圧の昇圧制御が行われる。
【００４５】
ここで、携帯電話装置１の動作について図４に示すフローチャートを参照して説明する。なお、以下では、所定の操作を経て、第１の負荷３３及び第２の負荷３９の駆動（ＬＥＤ点灯）イベントが発生しているものとして説明を行う。
【００４６】
ステップＳ１において、ホスト制御部４１は、ドライバＩＣ４３に制御信号を供給し、ドライバＩＣ４３をオン状態に制御する。
【００４７】
ステップＳ２において、ホスト制御部４１は、駆動する負荷の選択を行う。ここで、ホスト制御部４１は、第１の負荷３３のみを駆動することを選択した場合、すなわちバックライトの点灯のみを選択した場合には、ステップＳ３に進み、第２の負荷３９のみを駆動することを選択した場合、すなわちカメラライトの点灯のみを選択した場合には、ステップＳ４に進み、第１の負荷３３及び第２の負荷３９の双方を駆動することを選択した場合、すなわちバックライト及びカメラライト双方の点灯を選択した場合には、ステップＳ６に進む。
【００４８】
ステップＳ３において、第２の制御部３７は、ホスト制御部４１の制御に応じて、電圧低下検知部３４のスイッチ部３４Ｂをオン制御する。第１の負荷３３は、供給回路３２から供給される電圧により駆動される。また、ドライバＩＣ４３は、電圧低下検知部３４により第１の負荷３３の帰還電圧に基づいて、電源部３０の電圧量を検知するので、帰還電圧が一定値以下になれば、自動的に電圧を昇圧し、昇圧後の電圧を第１の負荷３３に供給する。このとき、スイッチ部３５Ａは、オフ制御のままなので、入力端子ｄが強制的に接地されることはないので、第１の負荷３３の帰還電圧に基づき、電圧の昇圧制御が行われる。
【００４９】
このようにして、携帯電話装置１は、第１の負荷３３のみを駆動する。
【００５０】
また、ステップＳ４において、第２の制御部３７は、ホスト制御部４１の制御に応じて、強制降下部３５のスイッチ部３５Ａをオン制御する。電圧低下検知部３４は、入力端子ｄが電気的に強制的に接地されることにより、第１の負荷３３の帰還電圧が降下して、当該帰還電圧とグランド（ＧＮＤ）との電位差が一定値以下となり、電源部３０の電圧量が所定値以下に低下したものと判断する。したがって、ドライバＩＣ４３は、強制降下部３５のスイッチ部３５Ａがオン制御された場合、自動的に電圧の昇圧を行い、昇圧後の電圧をカスケード接続電源部３８に供給する。カスケード接続電源部３８は、ドライバＩＣ４３から供給された電圧を安定化し、第２の負荷３９に供給する。
【００５１】
また、ステップＳ５において、ホスト制御部４１は、第３の制御部４０をオン制御する。第２の負荷３９は、第３の制御部４０がオン制御されることにより、カスケード接続電源部３８から供給される電圧により駆動する。
【００５２】
このようにして、携帯電話装置１は、第２の負荷３９のみを駆動する。
【００５３】
また、ステップＳ６において、第２の制御部３７は、ホスト制御部４１の制御に応じて、強制降下部３５のスイッチ部３５Ａをオン制御する。電圧低下検知部３４は、入力端子ｄが電気的に強制的に接地されることにより、第１の負荷３３の帰還電圧が降下して、電源部３０の電圧量が所定値以下に低下したものと判断する。したがって、ドライバＩＣ４３は、強制降下部３５のスイッチ部３５Ａがオン制御された場合、自動的に電圧の昇圧を行う。
【００５４】
また、カスケード接続電源部３８は、ドライバＩＣ４３から供給された電圧を安定化し、第２の負荷３９に供給する。
【００５５】
また、ステップＳ７において、第２の制御部３７は、電圧低下検知部３４のスイッチ部３４Ｂをオン制御し、また、ホスト制御部４１は、第３の制御部４０をオン制御する。第１の負荷３３は、電圧低下検知部３４のスイッチ部３４Ｂがオン制御されることにより、供給回路３２から供給される電圧により駆動される。また、第２の負荷３９は、第３の制御部４０がオン制御されることにより、カスケード接続電源部３８から供給される電圧により駆動される。
【００５６】
このようにして、携帯電話装置１は、第１の負荷３３及び第２の負荷３９の双方を同時に駆動する。
【００５７】
したがって、本発明に係る携帯電話装置１は、簡易な構成により、電源電圧の異なる第１の負荷３３及び第２の負荷３９に対して、任意のタイミングで個別的に駆動することができる。
【００５８】
また、本発明に係る携帯電話装置１は、任意のタイミングで昇圧電圧をコントロール可能な強制昇圧設定を回路上構成することができる。すなわち、第１の負荷３３からの帰還電圧に関係なく電圧を常時昇圧させることができ、昇圧によって得られる第２の駆動電圧によって第２の負荷３９を常時駆動させることができる。
【００５９】
また、通常、第２の負荷３９を個別昇圧するためには、第２の負荷３９をドライバＩＣ４３に帰還させるための信号線が必要となるが、本発明に係る構成では不要である。したがって、例えば、表示部側筐体部３に第１の負荷３３が配置され、操作部側筐体部２に第２の負荷３９が配置されているような携帯端末装置の場合、第２の負荷３９の帰還電圧をドライバＩＣ４３に帰還させるための信号線を不要とするため、細線同軸接続コネクタのピン数を最小にできるので、装置全体のコストダウンを図ることができる。
【００６０】
＜第２の実施形態＞
つぎに、第２の実施形態について図５を参照しながら説明する。なお、以下の第２の実施形態の説明にあたっては、上述した第１の実施形態で示した携帯電話装置１と同一の構成要件については同一符号を付し、その説明を省略若しくは簡略化する。
【００６１】
携帯電話装置５は、図５に示すように、電源部３０と、電源部３０から供給される電圧を昇圧する電源回路３１と、電源回路３１により昇圧された電圧を各負荷に供給する供給回路３２と、供給回路３２から電圧が供給され、所定の動作を行う第１の負荷３３と、第１の負荷３３の帰還電圧に基づいて、電源部３０の電源低下を検知する電圧低下検知部３４と、電圧低下検知部３４の一の入力端子を電気的に強制的に降下する強制降下部３５と、電圧低下検知部３４による検知結果に基づいて電源回路３１を制御する第１の制御部３６と、第１の負荷３３のオン状態又はオフ状態を制御する第２の制御部３７と、供給回路３２から電圧が供給され、当該電圧を安定化するカスケード接続電源部３８と、カスケード接続電源部３８から安定化された電圧が供給され、所定の動作を行う第２の負荷３９と、第２の負荷３９のオン状態又はオフ状態を制御する第３の制御部４０と、電源部３０の電圧量を監視する監視部５０と、携帯電話装置１の全体を制御するホスト制御部４１と、を備える。
【００６２】
また、電源回路３１と、供給回路３２とは、一体的に昇圧回路４２を構成している。また、昇圧回路４２と、電圧低下検知部３４と、強制降下部３５と、第１の制御部３６と、第２の制御部３７とは、一体的にドライバＩＣ４３を構成している。
【００６３】
監視部５０は、ホスト制御部４１の制御に応じて、電源部３０の電圧が所定値以下に低下したものと擬制して、強制降下部３５に電圧低下信号を供給する。
【００６４】
また、強制降下部３５は、監視部５０から電圧低下信号が供給されたとき、入力端子ｄを電気的に強制的に降下させる。
【００６５】
ここで、第１の負荷３３のみを駆動する場合の携帯電話装置５の動作について説明する。
【００６６】
ホスト制御部４１は、第１の負荷３３を駆動するようにドライバＩＣ４３を制御する。第２の制御部３７は、ホスト制御部４１の制御に応じて、電圧低下検知部３４のスイッチ部３４Ｂをオン制御する。第１の負荷３３は、供給回路３２から供給される電圧により駆動される。
【００６７】
また、監視部５０は、電源部３０の電圧量を監視しており、電源部３０の電圧量が一定値以下になった場合、強制降下部３５のスイッチ部３５Ａをオン制御する。電圧低下検知部３４は、強制降下部３５のスイッチ部３５Ａがオン制御された場合、入力端子ｄが電気的に強制的に接地されることにより、第１の負荷３３の帰還電圧が強制的に降下して、電源部３０の電圧量が所定値以下に低下したものと判断し、電圧を昇圧するように電源回路３１を制御する。
【００６８】
電源回路３１は、第１の制御部３６の制御に応じて、電源部３０から供給される電圧を昇圧し、供給回路３２に出力する。
【００６９】
このようにして、携帯電話装置５は、第１の負荷３３のみを駆動する。
【００７０】
つぎに、第２の負荷３９のみを駆動する場合の携帯電話装置５の動作について説明する。
【００７１】
ホスト制御部４１は、第２の負荷３９を駆動するようにドライバＩＣ４３を制御する。監視部５０は、ホスト制御部４１の制御に応じて、強制降下部３５のスイッチ部３５Ａをオン制御する。
【００７２】
また、電圧低下検知部３４は、入力端子ｄが電気的に強制的に接地されることにより、第１の負荷３３の帰還電圧が降下して、電源部３０の電圧量が所定値以下に低下したものと判断する。したがって、ドライバＩＣ４３は、強制降下部３５のスイッチ部３５Ａがオン制御された場合、自動的に電圧の昇圧を行い、昇圧後の電圧をカスケード接続電源部３８に供給する。カスケード接続電源部３８は、ドライバＩＣ４３から供給された電圧を安定化し、第２の負荷３９に供給する。
【００７３】
また、ホスト制御部４１は、第３の制御部４０をオン制御する。第２の負荷３９は、第３の制御部４０がオン制御されることにより、カスケード接続電源部３８から供給される電圧により駆動する。
【００７４】
このようにして、携帯電話装置５は、第２の負荷３９のみを駆動する。
【００７５】
つぎに、第１の負荷３３及び第２の負荷３９双方を駆動する場合の携帯電話装置５の動作について説明する。
【００７６】
ホスト制御部４１は、第１の負荷３３及び第２の負荷３９を駆動するようにドライバＩＣ４３を制御する。
【００７７】
まず、第２の制御部３７は、ホスト制御部４１の制御に応じて、電圧低下検知部３４のスイッチ部３４Ｂをオン制御する。第１の負荷３３は、供給回路３２から供給される電圧により駆動される。
【００７８】
つぎに、監視部５０は、ホスト制御部４１の制御に応じて、強制降下部３５のスイッチ部３５Ａをオン制御する。電圧低下検知部３４は、入力端子ｄが電気的に強制的に接地されることにより、第１の負荷３３の帰還電圧が降下して、電源部３０の電圧量が所定値以下に低下したものと判断する。したがって、ドライバＩＣ４３は、強制降下部３５のスイッチ部３５Ａがオン制御された場合、自動的に電圧の昇圧を行い、昇圧後の電圧を出力する。
【００７９】
カスケード接続電源部３８は、ドライバＩＣ４３から供給された電圧を安定化し、第２の負荷３９に供給する。
【００８０】
また、ホスト制御部４１は、第３の制御部４０をオン制御する。第２の負荷３９は、第３の制御部４０がオン制御されることにより、カスケード接続電源部３８から供給される電圧により駆動する。
【００８１】
このようにして、携帯電話装置５は、第１の負荷３３及び第２の負荷３９の双方を同時に駆動する。
【００８２】
したがって、本発明に係る携帯電話装置５は、簡易な構成により、電源電圧の異なる第１の負荷３３及び第２の負荷３９に対して、任意のタイミングで個別的に駆動することができる。
【００８３】
また、本発明に係る携帯電話装置５は、任意のタイミングで昇圧電圧をコントロール可能な強制昇圧設定を回路上構成することができる。すなわち、上述した第１の実施形態と同様に、電圧を常時昇圧させることができ、第２の負荷３９を第２の駆動電圧によって駆動させることができる。
【００８４】
また、通常、第２の負荷３９を個別昇圧するためには、第２の負荷３９をドライバＩＣ４３に帰還させるための信号線が必要となるが、本発明に係る構成では不要である。したがって、例えば、表示部側筐体部３に第１の負荷３３が配置され、操作部側筐体部２に第２の負荷３９が配置されているような携帯端末装置の場合、第２の負荷３９の帰還電圧をドライバＩＣ４３に帰還させるための信号線を不要とするため、細線同軸接続コネクタのピン数を最小にできるので、装置全体のコストダウンを図ることができる。
【００８５】
なお、上述した実施形態では、入力端子ｄを強制的に接地させることにより、入力端子ｄの電圧を強制的に降下させる構成としたが、これに限定されることなく、その他の手法により入力端子ｄの電圧を強制的に降下させる構成としても良い。
【図面の簡単な説明】
【００８６】
【図１】本発明に係る携帯電話装置の外観を示す斜視図である。
【図２】本発明に係る携帯電話装置の第１の構成を示すブロック図である。
【図３】本発明に係る携帯電話装置の電圧低下検知部と強制降下部の具体な構成例を示す図である。
【図４】本発明に係る携帯電話装置の動作についての説明に供するフローチャートである。
【図５】本発明に係る携帯電話装置の第２の構成を示すブロック図である。
【符号の説明】
【００８７】
１、５  携帯電話装置、２  操作部側筐体部、３  表示部側筐体部、４  ヒンジ機構、１０  第１の表面部、１１  操作ボタン群、１２  音声入力部、１３  機能設定操作ボタン、１４  入力操作ボタン、１５  決定操作ボタン、２０  第２の表面部、２１  ディスプレイ、２２  音声出力部、３０  電源部、３１  電源回路、３２  供給回路、３３  第１の負荷、３４  電圧低下検知部、３５  強制降下部、３６  第１の制御部、３７  第２の制御部、３８  カスケード接続電源部、３９  第２の負荷、４０  第３の制御部、４１  ホスト制御部、４２  昇圧回路、４３  ドライバＩＣ、５０  監視部
【図１】
2008113504.tif 000003
【図２】
2008113504.tif 000004
【図３】
2008113504.tif 000005
【図４】
2008113504.tif 000006
【図５】
2008113504.tif 000007